(57)【要約】      （修正有）【課題】点検が容易な自己点検機能付き点火装置を提供する。【解決手段】電源１に接続され火工品の点火に必要な電圧の電力を蓄電する点火電源回路１０ａと、点火電源回路１０ａと火工品とを接続又は切断する点火スイッチ回路１０ｂと、点火電源回路１０ａ又は点火スイッチ回路１０ｂの抵抗又は電圧を検出する自己点検回路１０ｃと、点火スイッチ回路１０ｂに接続又は切断について指示する制御信号を出力し、自己点検回路１０ｃで検出した抵抗又は電圧を外部に出力する制御回路１０ｄと、点火電源回路１０ａ、点火スイッチ回路１０ｂ及び自己点検回路１０ｃにおける電圧を制限する電圧制限回路２４と、点火スイッチ回路１０ｂと火工品との間に位置し、火工品を点火するためのイニシエータ２ａを備え、イニシエータ２ａは、所定の電流を下回る値の電流が通電した場合においても点火しないようになっている。【選択図】図４
2014092299.tif 000002
【特許請求の範囲】
【請求項１】
電源に接続され火工品の点火に必要な電圧の電力を蓄電する点火電源回路と、
前記点火電源回路と火工品とを接続又は切断する点火スイッチ回路と、
前記点火電源回路又は前記点火スイッチ回路の抵抗又は電圧を検出する自己点検回路と、
前記点火スイッチ回路に接続又は切断について指示する制御信号を出力し、前記自己点検回路で検出した抵抗又は電圧を外部に出力する制御回路と、
前記点火電源回路、前記点火スイッチ回路及び前記自己点検回路における電圧を制限する定電圧回路と、
前記点火スイッチ回路と前記火工品との間に位置し、前記火工品を点火するためのイニシエータとを備え、
前記イニシエータは、所定の電流が通電することによって点火するようになっており、
前記点火電源回路、前記点火スイッチ回路、前記自己点検回路及び前記イニシエータとからなる回路は、所定の抵抗を有しており、
前記定電圧回路は、前記所定の抵抗と前記所定の電流の積を下回る値に設定をされている、ことを特徴とする自己点検機能付きの点火装置。
【請求項２】
点検時において、前記点火電源回路、前記点火スイッチ回路及び前記自己点検回路に流れる電流を制限する定電流回路を備え、
前記定電流回路は、前記所定の電流を下回る値に設定をされている、ことを特徴とする請求項１に記載の自己点検機能付きの点火装置。
【請求項３】
前記電源に接続され、点検時において、前記点検に必要な電圧の電力を蓄電する内部電源回路を有する、ことを特徴とする請求項１又は請求項２に記載の自己点検機能付きの点火装置。
【発明の詳細な説明】
【技術分野】
【０００１】
本発明は、ロケットに搭載した火工品を点火する自己点検機能付き点火装置に関する。
【背景技術】
【０００２】
ロケットの飛翔においてロケットの一部切り離しや点火・再点火等が必要である場合、火工品を点火することによって目的を達成するケースが多い。
そのため、任意のタイミングで火工品を点火することを可能にするために、予め飛翔体内に点火装置を搭載しておくことが一般的である。
【０００３】
この点火装置については、例えば、図１に記載の点火装置のように、電源５１と火工品５３の間を点火装置５２によって連結させることで、点火タイミング等の制御を行うものがある。
【０００４】
また、この図における点検装置５５は、点火装置５２について後述する各種点検を行う際に用いる装置であり、制御装置５６は、主にロケットの飛翔を制御するためのものであり、火工品５３を点火するための各スイッチ等の制御をも行うものである。
さらに、この例においては、意図しないタイミングで電流が流れた場合等において、火工品５３が点火することを防止するためにＳＡＤ５４（Ｓａｆｅｔｙ  ａｎｄ  Ａｒｍｉｎｇ  Ｄｅｖｉｃｅ）が設けられている場合がある。また、火工品５３において、火工品５３を点火するために着火薬であるイニシエータ（図示しない）を有しているものとする。
【０００５】
上記のような火工品について記載された特許文献については、以下のものが知られている。
【先行技術文献】
【特許文献】
【０００６】
【特許文献１】特開２０１２−１４４０５６号公報
【特許文献２】特開２０１０−１３３６８５号公報
【発明の概要】
【発明が解決しようとする課題】
【０００７】
上記のような火工品をロケットに搭載させた場合において、故障等を避けるために、点検装置５５を用いることによって事前に各種試験を行う必要がある。
以下、従来の点火装置における点検方法について説明を行う。
【０００８】
図２は、図１における点火装置の基本回路構成の図である。
この図において、６１ａは火工品の点火準備を行うためのアーミングスイッチ、６１ｂはアーミングスイッチ６１ａを制御するアーミングスイッチ制御信号、６２ａは後述する「点火モード」と「点検モード」を切り替える切替スイッチ、６２ｂは切替スイッチ６２ａを制御する切替スイッチ制御信号、６３ａは火工品の点火を行う点火スイッチ、６３ｂは点火スイッチ６３ａの制御を行う点火スイッチ制御信号である。
また、この例における点火装置５２は、３つの火工品５３に連結している場合を想定しているため、切替スイッチ６２ａ、切替スイッチ制御信号６２ｂ、点火スイッチ６３ａ、点火スイッチ制御信号６３ｂは、それぞれ３組ずつ備えつけられている。
なお、この例において、火工品の点火を行うのにアーミングスイッチ６１ａと点火スイッチ６３ａの２つを用いているのは、チャタリング等によって意図しないタイミングで電流が流れた場合に火工品が点火してしまうのを極力防止する、という安全面を考慮したものである。
また、この例においては、電源５１と火工品５３を連結する回路を２系統有する場合について説明を行う。
【０００９】
点火装置５２は、上記各種スイッチ及び制御回路を操作することによって「点火モード」と「点検モード」の２つの動作モードのいずれかに切り替えることが可能である。ロケットの飛翔において火工品５３の点火を行う際には「点火モード」にし、各回路の導通試験等の点検を行う際には「点検モード」にすることで切り替えを行う。
【００１０】
具体的には、「点火モード」の場合は、アーミングスイッチ６１ａを「ＯＮ」にし、切替スイッチ６２ａを「点火モード」にし、さらに、点火スイッチ６３ａを「ＯＮ」にすることで、電源５１から火工品５３に電力を供給する。
【００１１】
また、「点検モード」の場合は、アーミングスイッチ６１ａを「ＯＦＦ」にし、切替スイッチ６２ａを「点検モード」にし、さらに、必要に応じて点火スイッチ６３ａを「ＯＮ」にすることによって点検を行う。
なお、この「点検モード」の場合は火工品５３を安全面の観点から取外して点検を行う必要がある。
【００１２】
上記「点検モード」において、アーミングスイッチ６１ａを切った状態で点検を行うため、例えば切替スイッチ６２ａの誤作動等による被害を防ぐことができる構成になっている。この「点検モード」における試験は、一般的には「チェックアウト装置」と呼ばれる点検装置５５が行うものであり、点火装置５２に設けられた各測定ポイント（図示しない）の導通抵抗値を取得し、この情報を元に導通絶縁確認等が行われる。また、状況に応じて、その他点火ラインに規定の点火電流が流せることの確認、迷走電流の有無等の試験についても行われる。
なお、この例において、アーミングスイッチ６１ａの制御はアーミングスイッチ制御信号６１ｂを経由して制御装置５６に設けられたアーミングスイッチ制御装置５６ｂが制御を行い、点火スイッチ６３ａの制御は点火スイッチ制御信号６３ｂを経由して制御装置５６に設けられた点火スイッチ制御装置５６ａが制御を行う。
【００１３】
また、テレメータ計測装置５７は、この例においては、上記点検によって取得したステータスを収集し、必要に応じて送信等行うものである。
【００１４】
上記点検は、飛翔体の安全性及び信頼度を高めるために必要不可欠なものである。
しかし、この点検は、安全面からロケットの打ち上げ射場において他の作業を停止して行うことが一般的であるため多大な時間を要するものである。また、点検装置５５の取り付け等の準備作業、点検の実施及び点検装置５５の取外し作業等を人手によって行い、さらに、この点検を行うために点検装置５５を準備する必要があるため、多大なコストを要するという問題点を有していた。
また、上記点検は、火工品５３を取り外して行うものであるが、点検装置５５を取り付けるために、火工品を点火するためのイニシエータ（図示しない）についても取り外して点検を行う必要があった。そのため、イニシエータの正常性についての点検は別途の方法で行う必要があった。
【００１５】
そこで、本発明の目的は、イニシエータを取り付けた状態で点検をすることが可能であり、かつ、安全確実にイニシエータと点火用回路の点検をすることができ、また、点検に要する時間の短縮を図ることが可能であり、さらに、人が立ち入ることなく点検が可能な自己点検機能付き点火装置を提供することにある。
【課題を解決するための手段】
【００１６】
上記目的を達成するため、本発明によると、電源に接続され火工品の点火に必要な電圧の電力を蓄電する点火電源回路と、
前記点火電源回路と火工品とを接続又は切断する点火スイッチ回路と、
前記点火電源回路又は前記点火スイッチ回路の抵抗又は電圧を検出する自己点検回路と、
前記点火スイッチ回路に接続又は切断について指示する制御信号を出力し、前記自己点検回路で検出した抵抗又は電圧を外部に出力する制御回路と、
前記点火電源回路、前記点火スイッチ回路及び前記自己点検回路における電圧を制限する定電圧回路と、
前記点火スイッチ回路と前記火工品との間に位置し、前記火工品を点火するためのイニシエータとを備え、
前記イニシエータは、所定の電流が通電することによって点火するようになっており、
前記点火電源回路、前記点火スイッチ回路、前記自己点検回路及び前記イニシエータとからなる回路は、所定の抵抗を有しており、
前記定電圧回路は、前記所定の抵抗と前記所定の電流の積を下回る値に設定をされている、ことを特徴とする自己点検機能付きの点火装置が提供される。
【００１７】
また、本発明の実施形態によると、点検時において、前記点火電源回路、前記点火スイッチ回路及び前記自己点検回路に流れる電流を制限する定電流回路を備え、
前記定電流回路は、前記所定の電流を下回る値に設定をされている。
【００１８】
さらに、本発明の実施形態によると、前記電源に接続され、点検時において、前記点検に必要な電圧の電力を蓄電する内部電源回路を有する。
【発明の効果】
【００１９】
本発明によると、点火装置の回路内に自己点検回路を設けたことによって、点検装置を別途取り付ける必要がなくなるため、点検時にイニシエータを取り付けた状態で点検をすることが可能になる。また、これによって、点検時に点検装置の取り付け及び取外しを行う必要がなくなるため、点検に要する時間を短縮することができる。
【００２０】
また、点火装置の回路内に定電圧回路を設けたことによって、点検時に回路を流れる電流について、イニシエータの点火に要する電流を下回る値に設定することができるため、安全確実にイニシエータを含めた点検を行うことが可能になる。
【００２１】
さらに、点火装置の回路内に自己点検回路等を制御する制御回路を設けたことによって、他の場所において制御回路から送信された点検結果のモニタが可能になり、人が立ち入ることなく点検を行うことが可能になる。
【図面の簡単な説明】
【００２２】
【図１】従来技術における点火装置の模式図である。
【図２】従来技術における点火装置の基本回路構成の図である。
【図３】本発明における自己点検機能付き点火装置の基本回路構成の概略図である。
【図４】本発明における自己点検機能付き点火装置の基本回路構成の詳細図である。
【図５】本発明の自己点検機能付き点火装置における制御回路の詳細図である。
【発明を実施するための形態】
【００２３】
本発明の好ましい実施形態を図面に基づいて説明する。なお、各図において共通する部分には同一の符号を付し、重複した説明を省略する。
【００２４】
図３（Ａ）は、本発明における自己点検機能付き点火装置の基本回路構成の概略図であり、図３（Ｂ）は、本発明における点火装置内部の概略図である。また、図４は、本発明における自己点検機能付き点火装置の基本回路構成図の詳細図である。
図３において、１は電源、２は火工品、３は制御装置、４はテレメータ計測装置、５はＳＡＤ、１０は点火装置、１０ａは点火電源回路、１０ｂは点火スイッチ回路、１０ｃは自己点検回路、１０ｄは制御回路である。
また、図４において、２ａはイニシエータ、１１は充電回路、１２は蓄電用コンデンサ、１３ａはアーミングスイッチ、１３ｂはアーミングスイッチモニタ、１４ａは点火スイッチ、１４ｂは点火スイッチモニタ、１５ａは点火スイッチ、１５ｂは点火スイッチモニタ、１６ａ、１６ｂは接地抵抗、１６ｃ、１６ｄは計測用抵抗、１７ａ、１７ｂは入力端子、１７ｃ、１７ｄは出力端子、２１は内部電源回路、２２は定電圧回路、２３は定電流回路、２４は電圧制限回路、２５は計測用スイッチ、２６は校正用スイッチ、２７は測定アンプである。
さらに、図５は、本発明の点火装置における制御回路の詳細図である。
この図において、３１ａは制御回路Ａ、３１ｂは制御回路Ｂである。
【００２５】
図３（Ｂ）における点火電源回路１０ａは、電源１に接続され火工品２の点火に必要な電圧の電力を蓄電する機能を有するものであり、図４においては、１１は充電回路、１２は蓄電用コンデンサがこれに該当する。
なお、入力端子１７ａ、１７ｂ及び出力端子１７ｃ、１７ｄは、点火装置１０と電源１等の外部機器を接続するために用いる端子である。
【００２６】
点火スイッチ回路１０ｂは、点火電源回路１０ａと火工品２とを接続又は切断する機能を有するものであり、図４においては、アーミングスイッチ１３ａ、点火スイッチ１４ａ、１５ａ及びこれに伴うアーミングスイッチモニタ１３ｂ、点火スイッチモニタ１４ｂ、１５ｂが該当する。
【００２７】
自己点検回路１０ｃは、点火電源回路１０ａ、前記点火スイッチ回路１０ｂの抵抗又は電圧を検出する機能を有するものであり、図４においては、内部電源回路２１、定電圧回路２２、定電流回路２３、電圧制限回路２４及び計測用抵抗１６ｃ、１６ｄ等がこれに該当する。
【００２８】
制御回路１０ｄは、点火スイッチ回路１０ｂに接続又は切断について指示する制御信号を出力し、自己点検回路１０ｃで検出した抵抗又は電圧を外部に出力する機能を有するものである。
【００２９】
図４において、点火装置１０における充電回路１１は、入力側と出力側とを電気的に絶縁して電源を供給するためのものであり、制御回路１０ｄからの充電制御によって出力側を「ＯＮ」または「ＯＦＦ」に切り替えることが可能である。
また、蓄電用コンデンサ１２は、充電回路１１によって電圧が発生した際に、火工品２の点火をするためにその電荷を蓄積するものである。
なお、この例において、充電回路１１と電源１との間に、外部からのノイズの侵入を防止し、または外部へのノイズの発散を低減するためにフィルタ（図示しない）を設ける構成であってもよい。
【００３０】
アーミングスイッチ１３ａ、点火スイッチ１４ａ、１５ａは、上述した従来技術における構成と同様である。また、この例においては、これらのステータスをモニタリングするためにアーミングスイッチモニタ１３ｂ、点火スイッチモニタ１４ｂ、１５ｂが備えつけられている。
【００３１】
接地抵抗１６ａ、１６ｂは、静電気等により電圧が発生した場合において、アースラインにその電荷を逃がすためのものである。また、耐雷用の抵抗をして機能させることも可能である。
計測用抵抗１６ｃ、１６ｄは、それぞれＶ１、Ｖ２における電圧を測定アンプ（図示しない）によって測定するためのものである。なお、この例において、それぞれ複数の抵抗器から構成されているのは、それぞれの抵抗器にかかる電圧を測定可能な電圧範囲（例えば、−１０[Ｖ]〜１０[Ｖ]程度）に収まるようにするためである。
【００３２】
内部電源回路２１は、点火装置１０内の測定アンプ２７等の各機器に電源を供給するものである。また、点検用の回路である定電圧回路２２、定電流回路２３、電圧制限回路２４等に電源を供給するためのものである。
【００３３】
定電圧回路２２、定電流回路２３、電圧制限回路２４は、内部電源回路２１で発生した電流、電圧を所定の値以下に制限するためのものである。
この例においては、図４に示すように火工品２を点火させるための着火薬であるイニシエータ２ａを備えているものを想定している。このイニシエータ２ａは、例えば、５[Ａ]の電流を４[ｍｓ]流すことによって確実に点火し、これによってその先に連結された火工品２を点火させるものである。なお、点検時においては、安全性の観点から火工品２を接続していない状態で点検を行う。
ここで、イニシエータ２ａの点検を行う場合、イニシエータ２ａの点火を防止するため、点火に必要な電流よりも十分に小さい値で点検を行う必要がある。例えば、このイニシエータ２ａが、１[Ａ]の電流を通電しても点火しないことを保証するものである場合においては、この定電流回路２３によって、各回路の点検を行うために通電させる電流を１[Ａ]以下に抑える役割を担っている。
【００３４】
上記のように定電流回路２３によって点検を行う際の電流を抑えても、この例においては、蓄電用コンデンサ１２とイニシエータ２ａ間の回路については電流制限がされていない。そのため、蓄電用コンデンサ１２が意図しないタイミングで放電してしまった場合、点検中にイニシエータ２ａを点火させてしまう場合が考えられる。
そこで、定電圧回路２２又は電圧制限回路２４は、仮に蓄電用コンデンサ１２が意図しないタイミングで放電をした場合においても、イニシエータ２ａが点火しない電圧に抑えるためのものである。
具体的には、例えば、イニシエータ２ａの抵抗を１[Ω]とし、イニシエータ２ａが点火しない電流の上限を１[Ａ]とした場合、定電圧回路２２又は電圧制限回路２４における設定値を、オームの法則より電圧を１[Ｖ]以下に設定することによって、意図しないタイミングで放電した場合においてもイニシエータ２ａの点火を防ぐことができるというものである。
なお、図４においては、定電圧回路２２と電圧制限回路２４の両方を用いているが、上記のように電圧を制限することができれば、どちらかの機器のみを用いる構成であってもよい。
【００３５】
さらに、定電流回路２３が点検時に流れる電流を一定にすることにより、蓄電用コンデンサ１２に蓄電される電荷[Ｃ]は、時間に比例して増加することになる。この場合、蓄電用コンデンサ１２の静電容量[Ｆ]が一定であるとすると、ファラデーの法則より、電圧[Ｖ]も時間に比例して増加していくことになる。そのため、蓄電用コンデンサ１２の電圧増加の比率が変化（電圧が一定の割合で増加しているか否か）を監視することによって蓄電用コンデンサ１２の正常性を点検することも可能になるというメリットを有している。
【００３６】
校正用スイッチ２６は、イニシエータ２ａを含めた点検実施時の比較データを取得するためのものである。具体的には、イニシエータ２ａの抵抗値に対応させた基準抵抗２６ａを設けておき、校正用スイッチ２６を「ＯＮ」にして通電させ、基準抵抗２６ａにおける電圧を計測するものである。イニシエータ２ａに導通確認を行った場合において、その電圧が基準抵抗２６ａにおける電圧を大きく異なることを検知することによって、回路が欠陥を有していることを発見することが可能になるからである。
【００３７】
測定アンプ２７は、Ｖ１、Ｖ２における電圧を測定する測定アンプと同様に、状況に応じた電圧を測定するものである。特に測定アンプ２７は、定電圧回路２２、電圧制限回路２４の正常性確認に用いられる。
【００３８】
制御回路１０ｄは、この例においては、制御回路Ａ３１ａと制御回路Ｂ３１ｂから構成されており、マイコン等からなるものでよい。
制御回路Ａ３１ａは、制御装置３（点検スイッチ制御装置３ａ）からの指示を受けて点火スイッチ１４ａ及び点火スイッチ１５ａの「ＯＮ」または「ＯＦＦ」の制御を行い、また、測定アンプ（図示しない）からのＶ１、Ｖ２における電圧計測結果や測定アンプ２７による電圧計測結果をテレメータ計測装置４に出力する。
また、制御回路Ｂ３１ｂは、制御装置３（アーミングスイッチ制御装置３ｂ）からの指示を受けてアーミングスイッチ１３ａの「ＯＮ」または「ＯＦＦ」の制御を行い、また、アーミングスイッチモニタ１３ｂからの計測結果をテレメータ計測装置４に出力する。
【００３９】
なお、本発明において、電源１、火工品２、制御装置３、テレメータ計測装置４及びＳＡＤ５の機能は上述した従来技術による構成を同じである。
【００４０】
次に、図４に基づいて点検時における点火装置１０の動作について説明する。
（１）点火装置１０の外部から電源１が供給されることによって、内部電源回路２１から回路電源Ｖｃｃが発生し、制御回路１０ｄ、アーミングスイッチモニタ１３ｂ、点火スイッチモニタ１４ｂ、点火スイッチモニタ１５ｂ、測定アンプ２７等を起動する。なお、充電回路１１は、制御回路１０ｄからの指示があるまで充電を開始しない設定にしておく。
（２）制御回路Ａ３１ａ及び制御回路Ｂ３１ｂの機能について正常性を確認する。
（３）計測用抵抗１６ｃの電圧Ｖ１及び計測用抵抗１６ｄの電圧Ｖ２を測定アンプ（図示しない）によって測定し、それぞれ電圧が０[Ｖ]であることを確認する。また、測定アンプ２７の電圧を測定する。
（４）アーミングスイッチ１３ａ、点火スイッチ１４ａ及び点火スイッチ１５ａのステータスをアーミングスイッチモニタ１３ｂ、点火スイッチモニタ１４ｂ及び点火スイッチモニタ１５ｂによって確認し、それぞれのスイッチが「ＯＦＦ」になっていることを確認する。これによって、火工品２の誤発火等を防止することができる。
（５）イニシエータ２ａを含めた点検実施時の比較データを取得するために、校正用スイッチ２６を「ＯＮ」にして通電させ、基準抵抗２６ａにおける電圧を計測する。計測終了後、校正用スイッチ２６を「ＯＦＦ」にする
（６）内部電源回路２１により蓄電用コンデンサ１２に充電及び放電を行い、蓄電用コンデンサ１２の正常性を確認する。
（７）計測用スイッチ２５を「ＯＮ」にし、所定時間経過後、測定アンプ（図示しない）によってＶ１、Ｖ２における電圧を計測する。その後、Ｖ１における電圧が電圧制限回路２４によって制限された電圧と同値であるかを確認して電圧制限回路２４の正常性を確認する。
また、Ｖ２における電圧が０[Ｖ]であることを確認し、アーミングスイッチ１３ａが「ＯＦＦ」になっていることを確認する。
（８）（７）の後、アーミングスイッチ１３ａを「ＯＮ」にして、Ｖ２における電圧が０[Ｖ]から上昇していることを確認する。また、アーミングスイッチモニタ１３ｂのステータスが「ＯＮ」になっていることを確認する。
（９）（８）の後、計測用スイッチ２５を「ＯＦＦ」にし、Ｖ１における電圧が所定の逓減状況であることを確認する。
（１０）アーミングスイッチ１３ａ、点火スイッチ１４ａ及び点火スイッチ１５ａを「ＯＮ」にして、イニシエータ２ａを含めた導通を確認する。また、上記（５）で求めた基準抵抗２６ａにおける電圧を比較して、抵抗値の変化の有無について確認する。
（１１）アーミングスイッチ１３ａ、点火スイッチ１４ａ及び点火スイッチ１５ａを「ＯＦＦ」にした後、充電回路１１を起動させ、点火時における電圧によって蓄電用コンデンサ１２を充電し、その充電時間及び電圧から充電機能を確認する。
（１２）充電回路１１による充電完了後、蓄電用コンデンサ１２の電圧を継続計測し、規定時間内に電圧が低下することの確認を行う。
【００４１】
上記点火装置１０においては、アーミングスイッチ１３ａが１つ、点火スイッチ１４ａ、１５ａが２つ有している例について説明を行ったが、この例に限定されず、それぞれ１つ又は２以上有するものであってもよい。
【００４２】
また、この例においては、点火装置１０外部の制御装置３からの指示によって、点検を開始する構成について説明を行ったが、点火装置１０内に自動点検プログラムとして組み込む構成であってもよい。
【００４３】
本発明は上述した実施の形態に限定されず、本発明の要旨を逸脱しない範囲で種々変更を加え得ることは勿論である。
【符号の説明】
【００４４】
１  電源、２  火工品、３  制御装置、
３ａ  点火スイッチ制御装置、３ｂ  アーミングスイッチ制御装置、
４  テレメータ計測装置、５  ＳＡＤ、
１０  点火装置、１０ａ  点火電源回路、
１０ｂ  点火スイッチ回路、１０ｃ  自己点検回路、１０ｄ  制御回路、
１１  充電回路、１２  蓄電用コンデンサ、
１３ａ  アーミングスイッチ、１３ｂ  アーミングスイッチモニタ、
１４ａ  点火スイッチ、１４ｂ  点火スイッチモニタ、
１５ａ  点火スイッチ、１５ｂ  点火スイッチモニタ、
１６ａ、１６ｂ  接地抵抗、１６ｃ、１６ｄ  計測用抵抗、
１７ａ、１７ｂ  入力端子、１７ｃ、１７ｄ  出力端子、
２１  内部電源回路、２２  定電圧回路、２３  定電流回路、
２４  電圧制限回路、２５  計測用スイッチ、
２６  校正用スイッチ２６、２６ａ  基準抵抗、２７  測定アンプ、
３１ａ  制御回路Ａ、３１ｂ  制御回路Ｂ、
５１  電源、５２  点火装置、５３  火工品、
５４  ＳＡＤ、５５  点検装置、５６  制御装置、
５６ａ  点火スイッチ制御装置、５６ｂ  アーミングスイッチ制御装置、
５７  テレメータ計測装置、
６１ａ  アーミングスイッチ、
６１ｂ  アーミングスイッチ制御信号、
６２ａ  切替スイッチ、６２ｂ  切替スイッチ制御信号、
６３ａ  点火スイッチ、６３ｂ  点火スイッチ制御信号
【図１】
2014092299.tif 000003
【図２】
2014092299.tif 000004
【図３】
2014092299.tif 000005
【図４】
2014092299.tif 000006
【図５】
2014092299.tif 000007